(57)【要約】【課題】検査種別や患者の体形に応じてハンドグリップの長さを容易に変更可能とする。【解決手段】起倒動可能に構成された寝台１０の側部に被検体によって把持されるハンドグリップ２０Ａを備え、このハンドグリップ２０Ａは、寝台１０の一側部に起立し、少なくともその一方が寝台１０の一側部に沿ってスライド可能に取付けられた一対の支柱３１ａ、３１ｂと、この支柱３１ａ、３１ｂの開放端にそれぞれ連結され、その支柱３１ａ、３１ｂが寝台１０の一側部に沿ってスライドされることにより伸縮するように構成された一対の把持部２１、２２とから構成されている。【選択図】  図２
2009219785.tif 000002
【特許請求の範囲】
【請求項１】
起倒動可能に構成された寝台の側部に被検体によって把持されるハンドグリップを備えたＸ線透視撮影装置において、
前記ハンドグリップは、前記寝台の一側部に起立し、少なくともその一方が寝台の一側部に沿ってスライド可能に取付けられた一対の支柱と、
この支柱の開放端にそれぞれ連結され、その支柱が前記寝台の一側部に沿ってスライドされることにより伸縮するように構成された一対の把持部と
から構成されたことを特徴とするＸ線透視撮影装置。
【請求項２】
前記ハンドグリップは、前記一対の支柱が寝台の一側部に沿ってスライド可能に取付けられていることを特徴とする請求項１記載のＸ線透視撮影装置。
【請求項３】
前記ハンドグリップの一対の把持部は、前記支柱の一方に連結された外側円筒と、この外側円筒にスライド可能に嵌合された内側円筒から構成され、この両円筒間にはその位置を保持するためのスライド移動係止手段を備えたことを特徴とする請求項１又は２記載のＸ線透視撮影装置。
【請求項４】
前記支柱は、寝台の高さ方向に設けた断面円形で中空の外側支柱と、この外側支柱の内径よりもわずかに小さい外径の内側支柱をスライド可能に嵌合させると共に、これら外側支柱と内側支柱との間にスライド移動を係止するための支柱移動係止手段を備えたことを特徴とする請求項１乃至３の何れか一つに記載のＸ線透視撮影装置。
【請求項５】
前記ハンドグリップは、前記一対の把持部にそれぞれその両端が嵌合された中間筒を有することを特徴とする請求項１、２、４の何れか一つに記載のＸ線透視撮影装置。
【発明の詳細な説明】
【技術分野】
【０００１】
本発明はＸ線透視撮影装置に関し、特に胃や腸等の検査時における被検体の安全を確保するのに好適なＸ線透視撮影装置に関する。
【背景技術】
【０００２】
図２０及び図２１は、従来のＸ線透視撮影装置の全体構成を示す正面図である。一般にＸ線透視撮影装置では、Ｘ線発生部６１とＸ線像検出部６２とが被検体を載置するための寝台６３を挟んで相対向して配置され、Ｘ線発生部６１より曝射されたＸ線は被検体の診断部位を透過してそのＸ線透過像がＸ線像検出部例えばイメージングインテンシファイア(以下、Ｉ.Ｉ.と称す)６２で可視光像に変換され、この可視光像をＴＶカメラ６４で受像することにより透視撮影が行われる。この寝台６３は、床面の基台６５に立設した寝台保持機構部６６によって上下動可能及び起倒動可能に支持され、この寝台６３の上面には被検体が横臥するための天板６７が設けられる。
【０００３】
このようなＸ線透視撮影装置を使用して胃や腸等の診断を行う場合には、バリウム系造影剤を経口投与した被検体に対して、図２１に示す様な立位置、及び逆傾斜位置等のボジショニングを行うと共に、被検体の方に倒し出した圧迫筒６８で被検体の検査部位を圧迫することにより造影剤を臓器内壁の隅々にまで行き渡らせる。これに伴い、被検体は天板６７の動きと共に立位置、逆傾斜位置、横向き位置、うつ伏せ位置等の様々な姿勢を保つ必要がある。
【０００４】
このため、従来よりこの種の寝台６３には、被検体が握るハンドグリップ６９（例えば特許文献１）、立位置時にて被検体の足を支えるフットレスト７０、あるいは逆傾斜位置にて被検体の肩を支えるショルダレスト７１等を取付け可能となっている。
【特許文献１】特開平７−２９９０６３
【発明の開示】
【発明が解決しようとする課題】
【０００５】
しかしながら、従来のハンドグリップ６９は寝台側部長手方向の取付位置及びその長さが固定であったため、被検体の身長が異なるような場合には、医師や検査技師（以下、検査技師等という）が寝台６３からハンドグリップ６９を一旦取り外し、その全体を安全に掴める位置に付け替える必要があった。また、検査の種別によっては、ショルダレスト７１等の付属品とハンドグリップ６９とを組み合わせて検査を行う必要があるが、その都度ハンドグリップ６９と付属品の付け位置を調整する作業が繁雑であった。更にまた、この種のＸ線透視撮影装置の中には、天板６７の幅を狭くすることによりＸ線撮影系の移動範囲を制限し、これにより検査能率の向上を図ったものもあるが、このような場合には、被検体が天板６７の上で左／右を向く際にハンドグリップ６９を超えて天板６７から落下するのではないかと言う不安感を抱かせる場合があった。
【０００６】
本発明は、このような従来の課題を解決するためになされたもので、その目的とするところは、検査種別や被検体の体形に応じてハンドグリップの長さや高さを容易に変更可能なＸ線透視撮影装置を提供することにある。
【課題を解決するための手段】
【０００７】
請求項１記載の発明の特徴は、起倒動可能に構成された寝台の側部に被検体によって把持されるハンドグリップを備えたＸ線透視撮影装置において、前記ハンドグリップは、前記寝台の一側部に起立し、少なくともその一方が寝台の一側部に沿ってスライド可能に取付けられた一対の支柱と、この支柱の開放端にそれぞれ連結され、その支柱が前記寝台の一側部に沿ってスライドされることにより伸縮するように構成された一対の把持部とから構成されていることである。
【発明の効果】
【０００８】
本発明によれば、ハンドグリップの長さ及び又は高さを容易に変更可能とすることで、被検者は常にハンドグリップを安全な姿勢でしっかりと掴むことが出来ると共に、検査技師等は被検者に応じて例えば長さあるいは高さの異なったハンドグリップに一々付け替える手間が省ける。
【発明を実施するための最良の形態】
【０００９】
（第１の実施の形態）
以下、本発明による第１の実施の形態に係るＸ線透視撮影装置を図面を参照しながら説明する。図１はＸ線透視撮影装置の全体構成図で、（ａ）はその正面図、（ｂ）はその平面図、（ｃ）はその側面図である。このＸ線透視撮影装置は、床面に据え付けた基台８に寝台保持機構部５を立設すると共に、その内部の回転機構部６を介して上下動可能及び起倒動可能に支持された寝台１０を備える。この寝台１０の上面には被検体が横臥するための天板１１が設けられる。また、この寝台１０には被検体が安全にその位置や姿勢を保てるように、被検体立位時にて被検体の足が位置する位置に設けられたフットレスト１２、被検体の左右に設けられた一対のハンドグリップ２０Ｒ、２０Ｌ、フットレスト１２と反対側に設けられたハンドグリップ２０Ｈ及び被検体の両肩の位置にそれぞれ設けられたショルダレスト１３Ｒ、１３Ｌ等が取付け可能となっている。
【００１０】
また、この回転機構部６には支柱７が取付けられ、この支柱７の先頭部にはＸ線を曝射するＸ線管１と、この曝射されたＸ線の照射範囲を制限するためのＸ線可変絞り２とを備え、更に天板１１を挟んだその対向位置には被検体を透過したＸ線を可視光像に変換するＸ線像検出部例えばＩ.Ｉ.３と、この変換された可視光像を撮影するＴＶカメラ４とを備える。また、この支柱７には圧迫筒１５が収納されており、この圧迫筒１５は必要に応じて天板１１の側に倒し出されて被検体の胃や腸の部分を圧迫動作する。
【００１１】
この様な構成により、Ｘ線透視撮影装置１０は、被検体を立位置〜水平位置〜逆傾斜位置（頭が足より下になる位置）まで動かす起倒動、天板１１を被検体の体長方向へ動かす天板上下動（天板長手動）、天板１１を被検体の横方向へ動かす天板左右動（天板横手動）、Ｘ線管１を受像面に近づけたり遠ざけたりする管球前後動、被検体を圧迫筒１５にて局部的に圧迫する圧迫動等が可能である。
【００１２】
図２はハンドグリップ２０Ａの取付構造を一部を断面にして示す正面図、図３はその平面図、図４はその縦断側面図である。なお、以下の説明では、図１（ａ）に示した寝台１０に向かって左側の部材には添え字ａを付し、右側の部材には添え字ｂを付して説明する。
【００１３】
図２、図３において、このハンドグリップ２０Ａ（図１の２０Ｒに相当）は、基本的には、寝台１０の一側部に起立し、寝台１０の一側部に沿ってスライド可能に取付けられた一対の支柱３１ａ、３１ｂと、この支柱３１ａ、３１ｂの開放端にそれぞれ連結され、その支柱３１ａ、３１ｂが寝台１０の一側部に沿ってスライドされることにより伸縮するように構成された外側円筒２１と内側円筒２２（本発明の一対の把持部に相当）とから構成されている。より詳しくは、寝台１０の長手方向に設けた外側円筒２１と、この外側円筒２１の内径よりも僅かに小さい外径の内側円筒２２とをスライド可能に嵌合させ、かつそれぞれの一端を連結部２８ａ、２８ｂにより長さ一定の２本の支柱３１ａ、３１ｂに固定すると共に、支柱３１ａ、３１ｂが寝台１０の長手方向にスライド可能に取付けられている。このような、外側円筒２１、内側円筒２２及び支柱３１ａ、３１ｂは鉄パイプにクロムメッキしたもの、又はアルミ合金等により構成できる。なお、支柱３１ａ、３１ｂの開放端とは、支柱３１ａ、３１ｂの一端側であって、寝台１０から突出した側の端部を意味する。
【００１４】
ハンドグリップ２０Ａは、外側円筒２１と内側円筒２２との間にこれらのスライド移動を係止するためのスライド移動係止手段２３を備えている。図５は、スライド移動係止手段２３の構成を拡大して示している。このスライド移動係止手段２３は、有底円筒部材２４の内部にコイルバネ２５を挿入したもので、この有底円筒部材２４の開口端に挿入したベアリングボール２６をコイルバネ２５で開口端側に付勢する構造となっている。このような有底円筒部材２４が内側円筒２２に対してその長さ方向と垂直となる方向に埋設され、このような内側円筒２２の全体が外側円筒２１の内側に嵌入されている。
【００１５】
一方、外側円筒２１には、少なくとも左右の両端部付近にベアリングボール２６が係止して両円筒２１、２２間のスライド移動を一時的に停止させるための孔２７ａ、２７ｂを設けている。孔２７ａ、２７ｂの直径はベアリングボール２６の直径より小さく、かつ、ベアリングボール２６の一部が穴２７ａ、２７ｂに係止するように形成されている。これにより、ベアリングボール２６が孔２７ａ、２７ｂに対向して位置する場合に、ベアリングボール２６が孔２７ａ、２７ｂに係止する。
【００１６】
このようなスライド移動係止手段２３は、両円筒２１、２２間のスライド移動を完全に止めると言うよりは、むしろ、スライド移動を行う検査技師等にベアリングボール２６が孔２７に係止したことの感覚を与え、それによって検査技師等にスライド操作を止めるきっかけを与えるものである。なお、このような孔２７は所定間隔で更に複数個設けても良く、これによりハンドグリップ２０Ａの長さ調節を複数段階に分けて行える。
【００１７】
更に、このハンドグリップ２０Ａでは、図４に示すように、寝台１０の側面上端部にはハンドグリップ２０Ａを固定するための溝１０’が形成されている。また、支柱３１ａ、３１ｂの端部には、支柱３１ａ、３１ｂを寝台１０に固定するためのクランプ部材３２が取付けられている。このクランプ部材３２は、その断面形状が一部を溝１０’に係止させて寝台１０の側面上端部を挟み込む形状に形成されている。
【００１８】
また、このクランプ部材３２の上面にはネジ孔が形成されており、このネジ孔にボルト３３が螺合されている。更に、このボルト３３の先端部にプレート３５が取付けられ、その前面側を寝台１０の上面に当接されている。一方、このボルト３３の頭部には、人の手で握って操作し易くするために、樹脂等により握り易いサイズ及び形状に構成された支柱固定操作部３４が設けてある。この状態で、支柱固定操作部３４を右側に回せばプレート３５が寝台１０の上面に圧接して支柱３１を寝台１０に堅固に固定する。また、この支柱固定操作部３４を左側に回せばプレート３５が寝台１０の上面から離れて支柱３１をスライド移動可能にする。スライド移動の構成については、他にも様々に構成できることは言うまでもない。
【００１９】
次に、上記のように構成されたハンドグリップ２０Ａの長さを伸縮させる操作を説明する。図２及び図３は、ハンドグリップ２０Ａが最も短い状態を示しており、この状態では外側円筒２１と内側円筒２２とが略全長に渡って重なり合っている。また、スライド移動係止手段２３のベアリングボール２６は左側の孔２７ａと係止している。更に、支柱３１ａ、３１ｂは共に寝台１０上に固定されている。
【００２０】
この位置からハンドグリップ２０Ａを左側（被検体の頭の方向）に延ばす場合は、支柱固定操作部３４ａを手で左側に回して、支柱３１ａの固定を緩めると共に、好ましくは、孔２７ａに係止しているベアリングボール２６の凸部を外から指で押し込みながら支柱３１ａを左側に引っ張る。これにより、図６に示す如く、ベアリングボール２６の凸部が孔２７ａから外れた状態で外側円筒２１が左方向にスライド移動を開始する。なお、ベアリングボール２６の凸部を指で押し込まなくても、支柱３１ａを幾分強目に引っ張れば、ベアリングボール２６の凸部が孔２７ａから自動的に外れて外側円筒２１が左方向にスライド移動を開始する。
【００２１】
そして、支柱３１ａを更に左側に引っ張ると、やがて、図７に示す如く、ベアリングボール２６の凸部が右側の孔２７ｂに係止し、外側円筒２１のスライド移動が一時的に停止される。この状態で支柱固定操作部３４ａを手で右側に回すことで、支柱３１ａを寝台１０に固定することができる。ハンドグリップ２０Ａの長さを元に戻す場合は、上記と逆の操作を行えばよい。
【００２２】
なお、上記スライド移動係止手段２３は必ずしも必要では無い。スライド移動係止手段２３が無い場合は、支柱３１ａの側をスライド移動途中の任意の位置で検査技師等が止め、その位置で支柱３１ａを固定すれば良い。こうすれば、ハンドグリップ２０Ａを検査技師等の目分量で所望の長さにセットする事が可能である。勿論、スライド移動係止手段２３がある場合でも、上記同様の操作でハンドグリップ２０Ａを所望の長さにセットできる。
【００２３】
また、図示しないが、このハンドグリップ２０Ａを図２の初期状態から右側（被検体の足の方向）に延ばすことも可能である。この場合は、支柱固定操作部３４ｂを手で左側に回して支柱３１ｂの固定を緩めると共に、この支柱３１ｂを右側に引っ張ることで内側円筒２２が右方向にスライド移動を開始する。そして、支柱３１ｂを更に右側に引くと、やがて、ベアリングボール２６の凸部が右側の孔２７ｂに係止し、内側円筒２２のスライド移動が一時的に停止される。この状態で支柱固定操作部３４ｂを手で右側に回すことで、支柱３１ｂを寝台１０に固定することができる。このハンドグリップ２０Ａの長さを元に戻す場合は、上記と逆の操作を行えばよい。
【００２４】
なお、このようなハンドグリップ２０Ａは、例えば図２のように短くした状態のままで寝台１０の側面上端部のどの位置にでも取付けることが可能であるから、このハンドグリップ２０Ａは実質的に寝台１０の長手方向のどの位置及びどの範囲でも自由かつ容易にカバーできることになる。以上は、被検体が右手で握るハンドグリップ２０Ａ（図１の２０Ｒに相当）について述べたが、被検体が左手で握るハンドグリップ２０Ａ（図１の２０Ｌに相当）についても同様である。
【００２５】
また、上記第１の実施の形態では支柱３１ａ、３１ｂが共にスライド移動可能に構成されていたが、これに限らない。何れか一方の支柱が移動できないように寝台１０に固定されていても良いことは明らかである。
【００２６】
（第２の実施の形態）
図８は本発明の第２の実施の形態に係るＸ線透視撮影装置のハンドグリップ２０Ｂの取付構造を示す正面図、図９はその縦断側面図である。このハンドグリップ２０Ｂは、長さ方向のみならず、高さ方向にも伸縮可能に構成されている。図８及び図９は、ハンドグリップ２０Ｂを低くした状態を示している。このハンドグリップ２０Ｂ（図１の２０Ｒに相当）は、基本的には、寝台１０の長手方向側面に起立して寝台１０の長手方向にスライド可能に設けられると共に、スライド可能に嵌合された内側支柱４２及び外側支柱４１から構成された一対の高さ可変支柱３１Ａａ、３１Ａｂと、この高さ可変支柱３１Ａａ、３１Ａｂの各内側支柱４２と外側支柱４１との相対位置を保持する支柱移動係止手段４３（図１０参照）と、この高さ可変支柱３１Ａａ、３１Ａｂの開放端にそれぞれその一端が固定され寝台１０の長手方向にスライド可能に嵌合された一対の把持部（外側円筒２１と内側円筒２２に相当）及び一対の支柱３１Ａａ、３１Ａｂの間の相対位置を保持するスライド移動係止手段（不図示）とから構成されている。なお、このハンドグリップ２０Ｂは高さを可変に構成した高さ可変支柱３１Ａ以外の部分については上述した第１の実施の形態（図１ないし図７）で説明したものと同様であるため、ここでの説明を省略する。
【００２７】
図１０に高さ可変支柱３１Ａの一部を断面にした正面図を示す。この高さ可変支柱３１Ａは、寝台１０の高さ方向に設けた断面円形で中空の外側支柱４１と、この外側支柱４１の内径よりもわずかに小さい外径の内側支柱４２とをスライド可能に嵌合させることで高さ方向にスライド可能とすると共に、これらの一対の支柱４１、４２の間にスライド移動を係止するための支柱移動係止手段４３を備えている。更に、外側支柱４１の下端部をクランプ部材３２の上面に固定し、かつ内側支柱４２の上端部を連結部２８の下端部に固定している。なお、これとは逆に、外側支柱４１の上端部を連結部２８の下端部に固定し、かつ内側支柱４２の下端部をクランプ部材３２の上面に固定するように組み合わせても良い。また、このような外側支柱４１及び内側支柱４２は鉄パイプにクロムメッキしたもの、又はアルミ合金等で構成できる。
【００２８】
支柱移動係止手段４３は、有底円筒部材４４の内部にコイルバネ４５を挿入したもので、有底円筒部材４４の開口端部に挿入した円柱形のストッパ部材４６をコイルバネ２５で外側に付勢する構造となっている。ストッパ部材４６の一端にはフランジ部４６ｆが設けられており、このフランジ部４６ｆが有底円筒部材４４の開口端に設けた径の小さい縁部と当接することによりストッパ部材４６が有底円筒部材４４から飛び出すのを防止している。
【００２９】
このような支柱移動係止手段４３を内側支柱４２に対してその長さ方向と垂直となる方向に埋設し、このような内側支柱４２の全体を外側支柱４１の内側に挿入する。これに対して、外側支柱４１の周囲面には、少なくとも上下の両端部付近にストッパ部材４６と係止して両支柱４１、４２間のスライド移動を停止させるための孔４７、４８が貫通されている。孔４７、４８の径は外側支柱４１の内周側から外周側に向けて略一定であり、この孔に嵌入したストッパ部材４６は両支柱４１、４２間のスライド移動を完全に停止させ、かつガタツキの無い状態で保持する。
【００３０】
次に、このように構成されたハンドグリップ２０Ｂの高さを伸縮させる操作を説明する。図８及び図９は、ハンドグリップ２０Ｂの高さが最も低い状態を示しており、この状態では外側支柱４１ａ、４１ｂと内側支柱４２ａ、４２ｂとがそれぞれ略全長に渡って重なり合っている。また、支柱移動係止手段４３の各ストッパ部材４６はそれぞれ下側の孔４７と係止している。
【００３１】
この位置からハンドグリップ２０Ｂの把持部２１、２２を高くする場合は、高さ可変支柱３１Ａａ側のストッパ部材４６の先端を指等で押し込んで外側支柱の孔４７との係止状態を解除し、同様にして高さ可変支柱３１Ａｂ側のストッパ部材４６の先端と外側支柱の孔４７との係止状態を解除する。そして、外側円筒２１及び内側円筒２２（ハンドグリップ２０Ｂの一対の把持部に相当）を上方に持ち上げることにより、各ストッパ部材４６が各下側の孔４７から外れたままで各内側支柱４２ａ、４２ｂがスライド移動を開始し、やがて、各ストッパ部材４６が次に遭遇した各上側の孔４８のところでバネ力により外側に押し出され、それぞれが上側の孔４８に係止する。この状態で手を離すと、ハンドグリップ２０Ｂは図１１、図１２に示す高さで固定される。また、この状態からハンドグリップ２０Ｂの把持部２１、２２を低くする場合は、同様にストッパ部材４６の先端と外側支柱の孔４８との係止状態を解除した後、ハンドグリップ２０Ｂの一対の把持部２１、２２を下方に押し戻せば良い。なお、このような孔４７、４８を多数設けることでハンドグリップ２０Ｂの把持部２１、２２を様々な高さに調節することができる。また、上記第１の実施の形態で採用したスライド移動係止手段２３を両支柱４１、４２間の支柱移動係止手段として用いても良い。但し、この場合には、ベアリングボール２６と孔４７、４８との係止状態が容易に解除されないようにするため例えば大きな付勢力を有するバネを用いる。
【００３２】
（第３の実施の形態）
図１３は本発明の第３の実施の形態に係るＸ線透視撮影装置のハンドグリップ２０Ｃの取付構造を示す正面図、図１４はその縦断側面図である。このハンドグリップ２０Ｃは、高さ可変支柱の他の例を示すものであり、それ以外の部分については第２の実施の形態（図８ないし図１２）と同様であるため、ここでの説明を省略する。
【００３３】
図１５に高さ可変支柱３１Ｂの一部を断面にした側面図を示す。この高さ可変支柱３１Ｂは、寝台１０の高さ方向に設けた断面円形で中空の外側支柱４１’と、この外側支柱４１’の内径よりもわずかに小さい外径の内側支柱４２’とをスライド可能に嵌合させることで高さ方向にスライド可能とすると共に、これらの一対の支柱４１’、支柱４２’の間にスライド移動を係止するための支柱移動係止手段５１を備えたものである。更に、外側支柱４１’の下端部をクランプ部材３２の上面に固定し、かつ内側支柱４２’の上端部を連結部２８の下端部に固定している。
【００３４】
更に、この支柱移動係止手段５１は、内側支柱４２’の外周壁の一部に長手方向に設けたラック５２と、このラック５２の位置に対応させて外側支柱４１’の外周壁の一部に取付けたラチェット５６とを備えている。このラチェット５６は支持軸５７の周りに回動するような杆を形成しており、この支持軸５７に巻き回したバネ５８により先端部のラチェット歯５９を常にラック５２の歯の方に付勢している。一方、ラック５２の表面にはノコギリ刃状の歯を設け、この歯の下側はラチェット歯５９を係止するように略直角方向に形成され、かつ歯の上側にはラチェット歯５９を摺動させるための緩やかな傾斜面が形成されている。
【００３５】
従って、このようなハンドグリップ２０Ｃの高さを高くする場合は、内側支柱４２’（又は把持部２１、２２）を単に引き上げるだけでラチェット歯５９がラック５２の歯の上面に沿って移動し、その係止位置が変わる。逆にハンドグリップ２０Ｃの高さを低くする場合は、ラチェット５６の下側を指で押すことで先端のラチェット歯５９を後退させると共に、内側支柱４２’（又は把持部２１、２２）を押し下げる。あるいは、ラチェット歯５９を後退させるだけで、ハンドグリップ２０Ｃの把持部は自重により降下する。
【００３６】
更には、ハンドグリップ２０Ｃの高さをその位置で強固に保持するため、内側支柱４２’におけるラック５２の反対側位置に長手方向に沿って所定長の溝５３を設ける。一方、外側支柱４１’における溝５３の対応位置にはボルト孔５５を穿設し、ここにボルト５４を螺合することでこのボルト５４の先端部を溝５３の底面に圧接可能とする。このボルト５４を右に回すと、その先端部が溝５３の底面に圧接し、内側支柱４２’の高さ固定する。またボルト５４を左に回すと、その先端部による圧接が緩み、外側支柱４１’と内側支柱４２’とがスライド移動可能となる。
【００３７】
好ましくは、このようなボルト５４の頭部を樹脂等により所定のサイズ及び形状に構成することで、ボルト５４の頭部を手でも操作できるようにする。また、このボルト５４の先端部は、溝５３の上端部と下端部とで溝５３の長手方向に沿った位置の溝壁と当接するようになっており、これによりハンドグリップ２０Ｃの把持部の高さ方向の移動を所定の範囲内に規制している。図１６は、ハンドグリップ２０Ｃの把持部を高くした状態におけるハンドグリップ２０Ｃの取付構造を示す正面図、図１７はその縦断側面図である。
【００３８】
（第４の実施の形態）
図１８は本発明の第４の実施の形態に係るＸ線透視撮影装置のハンドグリップ２０Ｄの取付構造を一部を断面にして示す正面図、図１９はその水平断面図である。なお、このハンドグリップ２０Ｄは、長さ方向と高さ方向とに伸縮可能な場合を示しているが、高さ方向には固定でもよい。ここでは長さ方向の伸縮構成について説明する。
【００３９】
図１８及び図１９において、このハンドグリップ２０Ｄは、２本の支柱３１Ｂａ、３１Ｂｂにそれぞれ一端を固定された第１、第２の内側円筒２２ａ、２２ｂの中間部に、これら内側円筒２２ａ、２２ｂの外径よりも僅かに大きい内径の１本の中間筒である外側円筒２１’を嵌合させて長さ方向にスライド移動可能とすると共に、これら外側円筒２１’と第１、第２の内側円筒２２ａ、２２ｂとの間にスライド移動を係止するための第１、第２のスライド移動係止手段２３ａ、２３ｂを第１、第２の内側円筒２２ａ、２２ｂの側に設けている。このスライド移動係止手段２３ａ、２３ｂは、図２に示したものと同じであり、有底円筒部材２４の内部にコイルバネ２５を挿入し、ベアリングボール２６をコイルバネ２５で開口端側に付勢する構造となっており、第１、第２の内側円筒２２ａ、２２ｂの開放端側に設けられている。また、外側円筒外側円筒２１’には、ベアリングボール２６が係止する孔２７ａ、２７ｂ、２７ｃ、２７ｄが形成されている。
【００４０】
更に、第１の内側円筒２２ａの左端と高さ可変支柱３１Ｂａとが連結部２８ａによりＬ字状に固定され、かつ第２の内側円筒２２ｂの右端と高さ可変支柱３１Ｂｂとが連結部２８ｂによりＬ字状に固定されている。このような高さ可変支柱３１Ｂａ、３１Ｂｂを寝台１０にスライド移動可能に取付けることで、中間部に介在させた中間筒としての外側円筒２１’を両側から支える構造となっている。
【００４１】
なお、図示しないが、好ましくは、このハンドグリップ２０Ｄの第１、第２の内側円筒２２ａ、２２ｂの外周面の長手方向に各所定長の溝を凹設し、これに対して外側円筒２１’の両端部付近にはネジ孔を設けて、それぞれにボルトを螺合し、溝の端部壁とボルト先端部とが当接することで、スライド移動の移動範囲を規制するように設ける。このような構造とすることで、ハンドグリップ２０Ｄの伸縮比が最大略３倍となり、寝台１０のより長い範囲を柔軟にカバーできる。
【００４２】
また、この第４の実施の形態のハンドグリップは、上記図１８及び図１９のハンドグリップ２０Ｄとは逆に、第１、第２の外側円筒の中間部に、これら円筒の内径よりも僅かに小さい外径の１本の内側円筒をスライド可能に嵌合させて長さ方向にスライド可能とすると共に、この中間の内側円筒の両端部に第１、第２の外側円筒との間のスライド移動を係止するための第１、第２のスライド移動係止手段を設けた構造にしても良い。或いは、一方の支柱から順に延出し嵌合する第１〜第３の円筒が、その径を順に大きくし又は小さくするように設けても良い。
【００４３】
また、上記各実施の形態ではハンドグリップ２０Ｒ、２０Ｌを寝台１０の側面上端部に取付ける場合を述べたが、これに限らない。ハンドグリップ２０Ｒ、２０Ｌを天板１１の側部に取付けるように構成しても良い。こうすれば天板長手動と共にハンドグリップ２０Ｒ、２０Ｌも移動するため、被検体は同じ把持姿勢を維持できる。本発明の「寝台の一側部」にはこのような構成も含まれる。また、上記各実施の形態では被検体が右手で握るハンドグリップ（図１の２０Ｒに相当）の例を図示したが、左手で握るハンドグリップ（図１の２０Ｌに相当）については対称に表れる。
【００４４】
また、上記第１の実施の形態におけるスライド移動係止手段２３に代えて、上記第２の実施の形態における支柱移動係止手段４３を使用してハンドグリップ２０Ａの両円筒２１、２２の間のスライド移動を係止するように構成しても良い。
【００４５】
また、上記実施の形態ではＸ線管１が天板１１の上側に位置するオーバーテーブルチューブタイプのＸ線透視撮影装置について述べたが、本発明はＸ線管１が天板１１の下側に位置するアンダーテーブルチューブタイプのＸ線透視撮影装置にも適用可能である。
【図面の簡単な説明】
【００４６】
【図１】本発明の第１の実施の形態に係るＸ線透視撮影装置の全体構成を示し、（ａ）は正面図、（ｂ）は平面図、（ｃ）は側面図である。
【図２】ハンドグリップの取付構造を一部を断面にして示す正面図である。
【図３】その平面図である。
【図４】その縦断側面図である。
【図５】スライド移動係止手段の構成を示す断面図である。
【図６】ハンドグリップを伸ばした状態を示す断面図である。
【図７】ハンドグリップを最長位置まで伸ばした状態を示す断面図である。
【図８】本発明の第２の実施の形態に係るＸ線透視撮影装置のハンドグリップの取付構造を示す正面図である。
【図９】その縦断側面図である。
【図１０】高さを伸ばした状態の高さ可変支柱を一部を断面にして示す正面図である。
【図１１】高さを伸ばした状態のハンドグリップの取付構造を示す正面図である。
【図１２】その縦断側面図である。
【図１３】本発明の第３の実施の形態に係るＸ線透視撮影装置のハンドグリップの取付構造を示す正面図である。
【図１４】その縦断側面図である。
【図１５】高さを伸ばした状態の高さ可変支柱を一部を断面にして示す正面図である。
【図１６】高さを伸ばした状態のハンドグリップの取付構造を示す正面図である。
【図１７】その縦断側面図である。
【図１８】本発明の第４の実施の形態に係るＸ線透視撮影装置のハンドグリップの取付構造を一部を断面にして示す正面図である。
【図１９】その水平断面図である。
【図２０】従来例のＸ線透視撮影装置の全体構成を示す正面図である。
【図２１】図２０に示す状態から寝台を回動させた状態を示す正面図である。
【符号の説明】
【００４７】
１０  寝台
２０  ハンドグリップ
２１  外側円筒（把持部）
２１’  外側円筒（把持部、中間筒）
２２  内側円筒（把持部）
２２ａ、２２ｂ  内側円筒（把持部）
２３  スライド移動係止手段
３１  支柱
４１、４１’  外側支柱
４２、４２’  内側支柱
４３  支柱移動係止手段
５１  支柱移動係止手段
【図１】
2009219785.tif 000003
【図２】
2009219785.tif 000004
【図３】
2009219785.tif 000005
【図４】
2009219785.tif 000006
【図５】
2009219785.tif 000007
【図６】
2009219785.tif 000008
【図７】
2009219785.tif 000009
【図８】
2009219785.tif 000010
【図９】
2009219785.tif 000011
【図１０】
2009219785.tif 000012
【図１１】
2009219785.tif 000013
【図１２】
2009219785.tif 000014
【図１３】
2009219785.tif 000015
【図１４】
2009219785.tif 000016
【図１５】
2009219785.tif 000017
【図１６】
2009219785.tif 000018
【図１７】
2009219785.tif 000019
【図１８】
2009219785.tif 000020
【図１９】
2009219785.tif 000021
【図２０】
2009219785.tif 000022
【図２１】
2009219785.tif 000023